(57)【要約】【課題】空調システムのドア制御装置において、部品管理の手間を低減するとともに、製造コストの低減効果を増大する。【解決手段】Ａ／Ｃアンプユニット１６とアクチュエータ４０，５０，６０とを接続するハーネスアッセンブリ３０のアクチュエータ側コネクタ２２′〜２４′のハウジング内部に、データ通信用の電気回路３５ａ〜３７ａと専用ＩＣ３５ｂ〜３７ｂとがそれぞれ内蔵され、かつ、アクチュエータ側コネクタ２２′〜２４′は、データ通信を行わない仕様のドア制御装置に用いられるアクチュエータ４０〜６０のコネクタ４１〜６１に接続可能の形状に形成されている。【選択図】            図１
2004189050.tif 000002
【特許請求の範囲】
【請求項１】
空調システムに用いられる複数のドアのそれぞれを各別に開閉すべく前記各ドアごとに設けられた複数のアクチュエータと、前記各アクチュエータを駆動制御するエアコンアンプユニットと、前記各アクチュエータに設けられた接続コネクタと接続されるアクチュエータ側コネクタを一端に有し、前記エアコンアンプユニットに設けられた接続コネクタと接続されるアンプ側コネクタを他端に有するコネクタ付ハーネスとを備えた空調システムのドア制御装置において、
前記エアコンアンプユニットおよび前記コネクタ付ハーネスは、前記アクチュエータとの間でのデータ通信の有無に応じて２種類準備され、
前記２種類のコネクタ付ハーネスのうち、前記データ通信有に対応したコネクタ付ハーネスのアクチュエータ側コネクタは、前記データ通信無に対応したコネクタ付ハーネスのアクチュエータ側コネクタと同一の接続形状に形成されているとともに、前記データ通信用の回路を内蔵したことを特徴とする空調システムのドア制御装置。
【発明の詳細な説明】
【０００１】
【発明の属する技術分野】
本発明は、車両における空調システムのドア制御装置に関し、詳細には、エアコンアンプユニットとドア開閉用のアクチュエータとをＬＡＮ（Ｌｏｃａｌ  Ａｒｅａ  Ｎｅｔｗｏｒｋ）化してデータ通信によりアクチュエータを制御する空調システムのドア制御装置に関する。
【０００２】
【従来の技術】
従来、自動車用の空調システムにおいては、エアコンアンプユニットとエア通路上の各ドアを開閉するアクチュエータとをハーネスによって接続し、アンプユニットからの電気信号を、ハーネスを介して所望のアクチュエータに送出し、アクチュエータを駆動している。
【０００３】
すなわち、例えば図２（ａ）に示すように、空調システムのドア制御装置１００は、ミックスドア開閉用のミックスドアアクチュエータ４０、モード切換ドア開閉用のモードアクチュエータ５０、およびＦ／Ｒインテーク切換ドア開閉用のＦ／Ｒインテークアクチュエータ６０等の各種アクチュエータと、これら各アクチュエータを独立して駆動制御するエアコンアンプユニット１０と、エアコンアンプユニット１０と各アクチュエータ４０，５０，６０とを接続するハーネスアッセンブリ（コネクタ付ハーネス）２０とを備えている。
【０００４】
ここで、各アクチュエータ４０，５０，６０は、それぞれ内部にモータ等を含む電気回路４３，５３，６３を有し、これら内部の電気回路４３，５３，６３をハーネスアッセンブリ２０に接続するためのコネクタ（接続コネクタ）４１，５１，６１を備えている。
【０００５】
また、エアコンアンプユニット１０は、図示しない外部のセンサやスイッチ類からの入力信号および電源からの電力を受け、所定の制御用のプログラムにしたがって演算処理を行うマイコン１１と、各アクチュエータ４０，５０，６０に対応して設けられ、各マイコン１１の演算処理結果に応じて各アクチュエータ４０，５０，６０に対して各別に電力を供給するドライバＩＣ１３，１４，１５と、ハーネスアッセンブリ２０に接続するためのコネクタ１２とを備えている。
【０００６】
ハーネスアッセンブリ２０は、ハーネスの一端側に、エアコンアンプユニット１０に接続されるアンプ側コネクタ２１を有し、他端側に、各アクチュエータ４０，５０，６０に接続されるアクチュエータ側コネクタ２２，２３，２４を有している。
【０００７】
ところで近年、上記ドア制御装置において、エアコンアンプユニットとエア通路上のドアを開閉駆動するドアアクチュエータとをＬＡＮ化し、このＬＡＮを用いたデータ通信によって、ドアを開閉制御することが提案されている（特許文献１）。
【０００８】
このＬＡＮ化されたドア制御装置１００は、図２（ｂ）に示すように、ミックスドアアクチュエータ７０、モードアクチュエータ８０、およびＦ／Ｒインテークアクチュエータ９０等の各種アクチュエータと、エアコンアンプユニット１６と、ハーネスアッセンブリ３０とを備え、各アクチュエータ７０，８０，９０は、それぞれ内部にモータ等を含む電気回路７３，８３，９３の他にデータ通信用の専用ＩＣ７２，８２，９２を有し、エアコンアンプユニット１６は、マイコン１７のみを有しドライバＩＣを具備しない構成となっている。
【０００９】
そして、ハーネスアッセンブリ３０のアンプ側コネクタ３１が、エアコンアンプユニット１６のコネクタ１８に接続され、アクチュエータ側コネクタ３２，３３，３４が、各アクチュエータ７０，８０，９０のコネクタ７１，８１，９１に接続される。
【００１０】
【特許文献１】
特開平１０−６７４８号公報
【００１１】
【発明が解決しようとする課題】
ところで、ＬＡＮ化されたドア制御装置（図２（ｂ））と、ＬＡＮ化されていない旧来のドア制御装置（同図（ａ））とでは、エアコンアンプユニットやハーネスアッセンブリが相違するのみならず、各アクチュエータも異なるものとなる。
【００１２】
このため、例えばある車種について、ＬＡＮ化されてデータ通信するもの（データ通信有）としないもの（データ通信無）との両方が設定され、この車種のグレードやオプションの有無等に応じて、これらのうち一方が択一的に選択される場合には、データ通信有に対応した構成部品とデータ通信無に対応した構成部品とをそれぞれ準備しておく必要があり、これら複数種類の部品管理に手間が掛かるとともに、量産による製造コストの低減効果も小さい、という問題があった。
【００１３】
本発明は上記事情に鑑みなされたものであり、部品管理の手間を低減するとともに、製造コストの低減効果を増大することができる空調システムのドア制御装置を提供することを目的とする。
【００１４】
【課題を解決するための手段】
上記課題を解決するため、本発明に係る空調システムのドア制御装置は、エアコンアンプユニットとアクチュエータとの間で、データ通信を行うか否かに拘わらず、アクチュエータに接続されるハーネスのコネクタの接続形状を同一にするとともに、データ通信を行うドア制御装置ではアクチュエータに設けられていたデータ通信用回路を当該コネクタに内蔵させたものである。
【００１５】
すなわち、本発明の請求項１に係る空調システムのドア制御装置は、空調システムに用いられる複数のドアのそれぞれを各別に開閉すべく前記各ドアごとに設けられた複数のアクチュエータと、前記各アクチュエータを駆動制御するエアコンアンプユニットと、前記各アクチュエータに設けられた接続コネクタと接続されるアクチュエータ側コネクタを一端に有し、前記エアコンアンプユニットに設けられた接続コネクタと接続されるアンプ側コネクタを他端に有するコネクタ付ハーネスとを備えた空調システムのドア制御装置において、前記エアコンアンプユニットおよび前記コネクタ付ハーネスは、前記アクチュエータとの間でのデータ通信の有無に応じて２種類準備され、前記２種類のコネクタ付ハーネスのうち、前記データ通信有に対応したコネクタ付ハーネスのアクチュエータ側コネクタは、前記データ通信無に対応したコネクタ付ハーネスのアクチュエータ側コネクタと同一の接続形状に形成されているとともに、前記データ通信用の回路を内蔵したことを特徴とする。
【００１６】
ここで、同一の接続形状とは、接続相手であるアクチュエータに設けられている接続コネクタに、データ通信無に対応したコネクタ付ハーネスのアクチュエータ側コネクタが接続できる場合に、データ通信有に対応したコネクタ付ハーネスのアクチュエータ側コネクタが、このアクチュエータの接続コネクタに接続できる形状であることを意味するものであり、データ通信有に対応したコネクタ付ハーネスのアクチュエータ側コネクタが、データ通信無に対応したコネクタ付ハーネスのアクチュエータ側コネクタと、必ずしも物理的に同一の形状であることを意味するものではない。
【００１７】
したがって、アクチュエータ側コネクタの内部に配置されている複数の接続端子のうち、例えばデータ通信無に対応したアクチュエータ側コネクタにのみ存在し、データ通信有に対応したアクチュエータ側コネクタには機能的に存在しない接続端子もあり得るが、このような機能的に不要な端子をダミー端子として設けて物理的に同一にする必要はなく、このような場合にも、実質的に上記「同一の接続形状」に該当する。
【００１８】
同様に、アクチュエータ側コネクタのハウジングの形状についても、一部に切欠き等を形成することによって、アクチュエータの接続コネクタと接続可能な形状であれば、実質的に上記「同一の接続形状」に該当する。
【００１９】
このように構成された本発明の請求項１に係る空調システムのドア制御装置によれば、エアコンアンプユニットとアクチュエータとの間で、データ通信を行うか否かに拘わらず、アクチュエータに接続されるハーネスのコネクタの接続形状が同一であるとともに、データ通信を行うドア制御装置ではアクチュエータに設けられていた通信用回路が当該コネクタに内蔵されているため、データ通信を行うものと行わないものとで、同一のアクチュエータを用いることができ、部品管理の手間を低減するとともに、製造コストの低減効果を増大することができる。
【００２０】
【発明の実施の形態】
以下、本発明に係る空調システムのドア制御装置の具体的な実施の形態について、図面を用いて説明する。
【００２１】
図１は、本発明の一実施形態に係る空調システムのドア制御装置１００を示す概略図である。
【００２２】
図示のドア制御装置１００は、ミックスドア開閉用のミックスドアアクチュエータ４０、モード切換ドア開閉用のモードアクチュエータ５０、およびＦ／Ｒインテーク切換ドア開閉用のＦ／Ｒインテークアクチュエータ６０と、これら各アクチュエータ４０，５０，６０を独立して駆動制御するエアコンアンプユニット１６と、エアコンアンプユニット（以下、Ａ／Ｃアンプユニットという。）１６と各アクチュエータ４０，５０，６０とを接続するハーネスアッセンブリ（コネクタ付ハーネス）３０とを備えている。
【００２３】
ここで、各アクチュエータ４０，５０，６０は、それぞれ内部にモータ等を含む電気回路４３，５３，６３を有し、これら内部の電気回路４３，５３，６３をハーネスアッセンブリ３０に接続するためのコネクタ（接続コネクタ）４１，５１，６１を備えている。
【００２４】
また、Ａ／Ｃアンプユニット１６は、図示しない外部のセンサやスイッチ類からの入力信号および電源からの電力を受け、所定の制御用のプログラムにしたがって演算処理を行うマイコン１７と、ハーネスアッセンブリ２０に接続するためのコネクタ（接続コネクタ）１８とを備えている。
【００２５】
ハーネスアッセンブリ３０は、ハーネスの一端側に、Ａ／Ｃアンプユニット１６のコネクタ１８に接続されるアンプ側コネクタ３１を有し、他端側に、各アクチュエータ４０，５０，６０の各コネクタ４１，５１，６１に接続されるアクチュエータ側コネクタ２２′，２３′，２４′を有している。
【００２６】
また、アクチュエータ側コネクタ２２′のハウジング内部には、データ通信用の電気回路３５ａおよび専用ＩＣ３５ｂが内蔵されて組み込まれている。
【００２７】
他のアクチュエータ側コネクタ２３′およびアクチュエータ側コネクタ２４′のハウジング内部にも同様に、データ通信用の電気回路３６ａ，３７ａおよび専用ＩＣ３６ｂ，３７ｂがそれぞれ内蔵されて組み込まれている。
【００２８】
ここで、各アクチュエータ側コネクタ２２′〜２４′のハウジング内部に設けられている電気回路３５ａ〜３７ａおよび専用ＩＣ３５ｂ〜３７ｂは、Ａ／Ｃアンプユニット１６と各アクチュエータ４０〜６０との間でデータ通信を行うための専用回路である。
【００２９】
すなわち、このドア制御装置１００は、Ａ／Ｃアンプユニット１６および各アクチュエータ４０〜６０がＬＡＮとしてネットワーク化されており、Ａ／Ｃアンプユニット１６による各アクチュエータ４０〜６０の駆動制御は、このＬＡＮにおいて用いられるデータ通信によって行われ、Ａ／Ｃアンプユニット１６およびハーネスアッセンブリ３０は、このデータ通信有の専用部品として用いられる。
【００３０】
一方、各アクチュエータ４０〜６０は、図２（ａ）に示す、Ａ／Ｃアンプユニット１０および各アクチュエータ４０〜６０がネットワーク化されておらず、Ａ／Ｃアンプユニット１０による各アクチュエータ４０〜６０の駆動制御を、各アクチュエータ４０〜６０への電圧値や電流値の制御によって行うデータ通信無に対応するドア制御装置１００にも用いられる共用部品である。
【００３１】
したがって、データ通信有に対応したハーネスアッセンブリ３０のアクチュエータ側コネクタ２２′，２３′，２４′は、データ通信無に対応したハーネスアッセンブリ２０（図２（ａ））のアクチュエータ側コネクタ２２，２３，２４と同一の接続形状に形成されている。
【００３２】
このように、データ通信有に対応したハーネスアッセンブリ３０のアクチュエータ側コネクタ２２′，２３′，２４′が、データ通信無に対応したアクチュエータ側コネクタ２２，２３，２４と同一の接続形状に形成されているため、データ通信有に対応したアクチュエータ側コネクタ２２′，２３′，２４′を、データ通信無に対応したアクチュエータ４０，５０，６０に、物理的に接続することが可能であり、さらに、データ通信有に対応したハーネスアッセンブリ３０のアクチュエータ側コネクタ２２′，２３′，２４′には、データ通信有に対応したデータ通信用の専用回路（電気回路３５ａ，３６ａ，３７ａおよび専用ＩＣ３５ｂ，３６ｂ，３７ｂ）がそれぞれ内蔵されているため、データ通信有に対応したアクチュエータ側コネクタ２２′〜２４′を、データ通信無に対応したアクチュエータ４０〜６０に接続しても、Ａ／Ｃアンプユニット１６と各アクチュエータ４０〜６０との間でデータ通信を行うことができる。
【００３３】
一方、図２（ａ）に示すように、上記各アクチュエータ４０〜６０に、データ通信無に対応したＡ／Ｃアンプユニット１０を、データ通信無に対応したハーネスアッセンブリ２０を用いて接続して、データ通信を行わない仕様のドア制御装置１００を構成することができる。
【００３４】
したがって、本実施形態に係る空調システムのドア制御装置１００によれば、各アクチュエータ４０〜６０を、データ通信無のドア制御装置と共用することができ、データ通信有に対応した専用のアクチュエータを別途準備する必要がない。
【００３５】
よって、構成部品の種類が低減されて、部品管理上の手間を減らすことができ、量産による製造コストの低減効果も増大させることができる。
【００３６】
【発明の効果】
以上説明したように、本発明に係る空調システムのドア制御装置によれば、エアコンアンプユニットとアクチュエータとの間で、データ通信を行うか否かに拘わらず、アクチュエータに接続されるハーネスのコネクタの接続形状が同一であるとともに、データ通信を行うドア制御装置ではアクチュエータに設けられていたデータ通信用回路が当該コネクタに内蔵されているため、データ通信を行うものと行わないものとで、同一のアクチュエータを用いることができる。
【００３７】
すなわち、本発明の請求項１に係る空調システムのドア制御装置によれば、データ通信有に対応したコネクタ付ハーネスのアクチュエータ側コネクタは、データ通信無に対応したコネクタ付ハーネスのアクチュエータ側コネクタと同一の接続形状に形成されているため、データ通信有に対応したコネクタ付ハーネスのアクチュエータ側コネクタを、データ通信無に対応したアクチュエータに、物理的に接続することが可能であり、さらに、データ通信有に対応したコネクタ付ハーネスのアクチュエータ側コネクタには、データ通信有に対応したアクチュエータに備えられていたデータ通信用回路が内蔵されているため、データ通信有に対応したコネクタ付ハーネスのアクチュエータ側コネクタを、データ通信無に対応したアクチュエータに接続しても、データ通信を行うことができる。
【００３８】
したがって、データ通信有に対応したコネクタ付ハーネスのアクチュエータ側コネクタは、データ通信無に対応したアクチュエータに、物理的および機能的に接続することが可能となり、データ通信無に対応したアクチュエータとは別個にデータ通信有に対応したアクチュエータを準備する必要がない。
【００３９】
よって、部品管理上の手間を低減することができるとともに、量産による製造コストの低減効果を増大させることができる。
【図面の簡単な説明】
【図１】本発明の一実施形態に係る空調システムのドア制御装置を示す概略図である。
【図２】従来の空調システムにおけるドア制御装置を示す概略図であり、（ａ）はデータ通信無に対応したもの、（ｂ）はデータ通信有に対応したものである。
【符号の説明】
１０，１６  Ａ／Ｃアンプユニット（エアコンアンプユニット）
１１，１７  マイコン
１２，１８  コネクタ（接続コネクタ）
１３，１４，１５  ドライバＩＣ
２０，３０  ハーネスアッセンブリ（コネクタ付ハーネス）
２１，３１  アンプ側コネクタ
２２，２３，２４  アクチュエータ側コネクタ
２２′，２３′，２４′  アクチュエータ側コネクタ
３２，３３，３４  アクチュエータ側コネクタ
３５ａ，３６ａ，３７ａ  電気回路（データ通信用の回路）
３５ｂ，３６ｂ，３７ｂ  専用ＩＣ（データ通信用の回路）
４０，７０  ミックスドアアクチュエータ
４１，５１，６１  コネクタ（接続コネクタ）
４３，５３，６３  電気回路
５０，８０  モードアクチュエータ
６０，９０  Ｆ／Ｒインテークアクチュエータ
７１，８１，９１  コネクタ（接続コネクタ）
７２，８２，９２  専用ＩＣ
７３，８３，９３  電気回路
１００  ドア制御装置
【図１】
2004189050.tif 000003
【図２】
2004189050.tif 000004